(57)【要約】【課題】静電気自体を発生させず、しかも髪や地肌によい影響を与えることのできる、優れたヘアブラシを提供する。【解決手段】台部３と、台部３の一端側に列状に植設される多数のブラシ毛束４とを備え、上記台部３の少なくともブラシ毛束植設部が非帯電性部材で構成されているとともに、上記ブラシ毛束４が、珪酸含有鉱物からなる微粒粉体を含有する合成樹脂製ブラシ毛Ａと、獣毛ブラシ毛Ｂとで形成されており、上記ブラシ毛Ａの毛先が、ブラシ毛Ｂの毛先より上方に突出しないよう設定されている。【選択図】図２
2005130916.tif 000002
【特許請求の範囲】
【請求項１】
台部と、台部一端側に列状に植設される多数のブラシ毛束とを備え、上記台部の少なくともブラシ毛束植設部が非帯電性部材で構成されているとともに、上記ブラシ毛束が、珪酸含有鉱物からなる微粒粉体を含有する合成樹脂製ブラシ毛Ａと、獣毛からなるブラシ毛Ｂとで形成されており、上記ブラシ毛Ａの毛先が、ブラシ毛Ｂの毛先より上方に突出しないよう設定されていることを特徴とするヘアブラシ。
【請求項２】
上記台部が木製である請求項１記載のヘアブラシ。
【請求項３】
上記台部が合成樹脂製であって、その少なくともブラシ毛束植設部が、珪酸含有鉱物からなる微粒粉体を含有する起毛シートで被覆されている請求項１記載のヘアブラシ。
【請求項４】
上記珪酸含有鉱物が、石英安山岩ガラス状斑岩、石英安山岩、長石、石英からなる群から選択される少なくとも一つの鉱物である請求項１〜３のいずれか一項に記載のヘアブラシ。
【発明の詳細な説明】
【技術分野】
【０００１】
本発明は、静電気帯電が生じにくく、毛髪や地肌に対しても優れた作用を有するヘアブラシに関するものである。
【背景技術】
【０００２】
従来から、ヘアブラシとしては、ブタ毛等の獣毛を用いたものや、ナイロン等の合成樹脂を用いたもの等、多種多様なタイプのものが出回っている。
【０００３】
上記獣毛を用いたヘアブラシは、ブラッシングによって艶がでる、静電気帯電が生じず、髪や地肌に優しい、等の利点がある反面、ブラシ毛の太さが獣毛の太さに制限されるため、比較的細いブラシ毛の束となり、洗いにくい、乾きにくい等の問題がある。一方、合成樹脂を用いたヘアブラシは、洗いやすく乾きやすい、安価であるという利点があるものの、ブラッシングにより静電気帯電が生じ、髪や地肌に悪影響を与えることが問題となっている。
【０００４】
そこで、合成樹脂製のヘアブラシについては、静電防止機能を付加したものが、いくつか提案されている（特許文献１、２参照）。
【特許文献１】特開平７−３２７７４０号公報
【特許文献２】特開２００３−１９９６２８号公報
【発明の開示】
【発明が解決しようとする課題】
【０００５】
しかしながら、これらのものは、静電気を即座に除去するために、導電性の金属部材を組み込んでおり、長期間使用すると、金属部材が腐食するおそれがある。また、金属部材と他の部材の隙間部に、汚れが溜まりやすく、衛生的でないという問題もある。一方、金属製ブラシ毛を用いたブラシもあるが、このものは、長期的に使用すると、毛髪や地肌にダメージを与えるおそれがある。
【０００６】
本発明は、このような事情に鑑みなされたもので、金属等の導電性物質で静電気を除去するのではなく、静電気自体を発生させず、しかも髪や地肌によい影響を与えることのできる、優れたヘアブラシの提供をその目的とする。
【課題を解決するための手段】
【０００７】
上記の目的を達成するため、本発明は、台部と、台部一端側に列状に植設される多数のブラシ毛束とを備え、上記台部の少なくともブラシ毛束植設部が非帯電性部材で構成されているとともに、上記ブラシ毛束が、珪酸含有鉱物からなる微粒粉体を含有する合成樹脂製ブラシ毛Ａと、獣毛からなるブラシ毛Ｂとで形成されており、上記ブラシ毛Ａの毛先が、ブラシ毛Ｂの毛先より上方に突出しないよう設定されているヘアブラシを第１の要旨とする。
【０００８】
また、本発明は、そのなかでも、特に、上記台部が木製であるヘアブラシを第２の要旨とし、上記台部が合成樹脂製であって、その少なくともブラシ毛束植設部が、珪酸含有鉱物からなる微粒粉体を含有する起毛シートで被覆されているヘアブラシを第３の要旨とする。
【０００９】
そして、本発明は、それらのなかでも、特に、  上記珪酸含有鉱物が、石英安山岩ガラス状斑岩、石英安山岩、長石、石英からなる群から選択される少なくとも一つの鉱物であるヘアブラシを第４の要旨とする。
【発明の効果】
【００１０】
すなわち、本発明のヘアブラシは、ブラシ毛束が特殊な構成になっており、そのブラシ毛束植設部が非帯電性部材で形成されているため、毛髪を梳かしても、静電気が生じない。しかも、上記合成樹脂製ブラシ毛Ａには、珪酸含有鉱物の微粒粉体が含有されているため、上記珪酸含有鉱物に含まれる微量のミネラル成分と珪酸成分とが、毛髪やキューティクルに付着して毛髪に平滑性を与え、毛質を傷めることなく梳かすことができる。また、獣毛からなるブラシ毛（以下「獣毛ブラシ毛」という）と毛髪の接触により、毛髪が非常に艶やかになるという利点も有する。
【発明を実施するための最良の形態】
【００１１】
つぎに、本発明を実施するための最良の形態について説明する。
【００１２】
図１は、本発明のヘアブラシの一実施の形態を示している。このヘアブラシは、ブラシ基台１と柄部２とが一体的に形成された木製の台部３を有し、そのブラシ基台１の表面１ａに、多数のブラシ毛束４が所定間隔で列状に植設されている。図では、上記ブラシ毛束４の大部分を省略して、上記ブラシ毛束４を植設するための穴５をみせている。
【００１３】
上記ブラシ毛束４は、図２に模式的に示すように、合成樹脂製ブラシ毛Ａと、獣毛からなるブラシ毛Ｂとを、複数本ずつ合わせて束ねたもので、獣毛ブラシ毛Ｂが、合成樹脂製ブラシ毛Ａに比べて、２ｍｍ程度上方に突出するよう設定されている。
【００１４】
そして、上記合成樹脂製ブラシ毛Ａには、珪酸含有鉱物の微粒粉体が含有されている。
【００１５】
この構成によれば、ブラシ毛束４で毛髪を梳かす動作を行うと、上記合成樹脂製ブラシ毛Ａがマイナスに帯電し、上記獣毛ブラシ毛Ｂがプラスに帯電して、両方の電荷が即座に打ち消し合うため、静電気が生じない。特に、上記獣毛ブラシ毛Ｂの方が少し上方に突出して、合成樹脂製ブラシ毛Ａの毛先のみが毛髪や地肌に当たりにくいようになっているため、上記ブラシ毛Ａによる帯電が残留することがない。
【００１６】
そして、上記合成樹脂製ブラシ毛Ａには、珪酸含有鉱物の微粒粉体が含有されているため、上記珪酸含有鉱物に含まれる微量のミネラル成分と珪酸成分とが、毛髪やキューティクルに付着して毛髪に平滑性を与え、毛質を傷めることなく梳かすことができる。また、上記獣毛ブラシ毛Ｂと毛髪の接触により、毛髪が非常に艶やかになるという利点も有する。
【００１７】
なお、上記の例において、ブラシ毛束４を構成する合成樹脂製ブラシ毛Ａの合成樹脂材料としては、ナイロン６、ナイロン６１２、ポリプロピレン、ポリエチレン、ポリエステル、ＡＢＳ樹脂、アクリル樹脂、ポリカーボネート等があげられ、なかでも、ナイロン６やナイロン６１２が好適に用いられる。これらは、２種以上を混合して用いてもよいし、２種類以上のモノマーからなる共重合体を用いてもよい。
【００１８】
そして、同じくブラシ毛束４を構成する獣毛ブラシ毛Ｂの獣毛としては、ブタ毛やイノシシ毛等があげられる。これらも２種以上を混合して用いることができる。
【００１９】
また、上記ブラシ毛束４における合成樹脂製ブラシ毛Ａと獣毛ブラシ毛Ｂとの混合割合は、毛の本数割合で、Ａ：Ｂ＝３０：７０〜７０：３０に設定することが好適であり、なかでも、５０：５０に設定することが、静電気帯電防止の上で、最も効果的である。なお、合成樹脂製ブラシ毛Ａとして、ナイロン６１２製のブラシ毛（Ａ１）と、ポリエチレン製のブラシ毛（Ａ２）と、アクリル樹脂製のブラシ毛（Ａ３）の３種類を組み合わせて用いたものは、特に静電気帯電防止効果が高く、その場合は、それらの混合割合は、毛の本数割合で、Ａ１：Ａ２：Ａ３：Ｂ＝３０〜４０：１０〜１５：２〜５：５８〜４０に設定することが好ましく、特に、３５：１２：３：５０に設定することが最適である。
【００２０】
また、ブラシ毛束４を植設する場合、上記合成樹脂製ブラシ毛Ａと獣毛ブラシ毛Ｂの配置は、上記の例に示すように、獣毛ブラシ毛Ｂの方が上方に突出するよう設定することが好ましいが、その毛先の高さの差（図２においてｄで示す）は、通常、０〜４ｍｍ、なかでも２ｍｍ前後に設定することが好適である。すなわち、獣毛ブラシ毛Ｂの方が高すぎると、獣毛ブラシ毛Ｂのみが地肌や毛髪に触れやすく、合成樹脂製ブラシ毛Ａに含有される珪酸含有鉱石に由来する効果を地肌や毛髪に与えにくくなるからである。なお、ｄ＝０ｍｍの場合とは、両方のブラシ毛Ａ，Ｂの高さが同一に設定されている場合をいう。ただし、植設されたブラシ毛Ａ、Ｂの全体の高さについては、通常のブラシに準じて、適宜に設定される。
【００２１】
さらに、上記合成樹脂製ブラシ毛Ａ、獣毛ブラシ毛Ｂの太さも、適宜に設定することができるが、通常、ブラシ毛Ａの直径は、０．３〜２ｍｍ、なかでも０．５〜０．８ｍｍに設定することが好適である。また、ブラシ毛Ｂの直径は、０．０５〜０．３ｍｍに設定することが好適である。これらの範囲内で、より優れた梳かし心地を得ることができるからである。
【００２２】
つぎに、上記合成樹脂製ブラシ毛Ａに含有される珪酸含有鉱物について説明する。上記珪酸含有鉱物としては、石英安山岩ガラス状斑岩、石英安山岩、長石、石英等があげられ、なかでも、石英安山岩ガラス状斑岩を用いることが、特に好ましい。
【００２３】
上記石英安山岩ガラス状斑岩とは、鉱物学上、石英安山岩に属し、マグマ（岩漿）が急激に冷却して得られる天然のガラス質を多く含んだもので、特に、約５０００万年前の氷河期に、海底火山の噴火溶岩が急激に冷却結晶化し、純粋な火成岩のまま１０００ｍ以上の地下に埋もれて風化しておらず、ミネラル成分が豊富で結晶水の含有割合が４重量％（以下「％」と略す）以上と高いもの（松鉱石、ミネセラファイン社製）が好適である。
【００２４】
上記石英安山岩ガラス状斑岩は、岩石表面で生じる電離現象が活発で、人体によい影響を与える諸機能が高い。上記諸機能とは、例えば、人の脳内波におけるβ波の抑制とα波の出現化とによる精神安定持続効果をもたらす、血流速度や血流量を高めて血行を促進する、血液循環の活発化に伴い皮脂腺肥大を正常化し、毛母、毛乳頭等に活性を与え、ホルモン分泌のバランスを正常化して育毛を促進する、等の機能である。
【００２５】
なお、上記石英安山岩ガラス状斑岩の組成例は、下記の表１に示すとおりである。
【００２６】
【表１】
2005130916.tif 000003
【００２７】
これらの珪酸含有鉱物の微粒粉体において、その粒度は、特に限定するものではない。ただし、樹脂への分散性、成形性および効果の点から、通常、その平均粒子径が０．２〜５０μｍとなるよう設定することが好適であり、なかでも、１〜５μｍのものが特に好適である。
【００２８】
なお、本発明において、珪酸含有鉱物の微粒粉体として、石英安山岩ガラス状斑岩の微粒粉体を用いる場合は、これを所定の温度域で焼成したものと、未焼成のものとを混合すると、さらに優れた効果を奏することができる。すなわち、前記石英安山岩ガラス状斑岩の優れた諸機能は、未焼成微粒粉体にも備わっているが、焼成条件を変えて焼成した焼成微粒粉体との配合により、上記石英安山岩ガラス状斑岩の優れた諸機能の全部、もしくはその一部を選択的に高めることができるからである。
【００２９】
上記石英安山岩ガラス状斑岩の微粒粉体を焼成する場合、その焼成方法は、従来公知の方法で差し支えないが、焼成温度を３００〜１５００℃に設定することが望ましい。すなわち、焼成温度が３００℃未満では、未焼成のものと実質的な差異がなく、逆に、１５００℃を超えても、焼成微粒粉体の機能がそれ以上高まらず、場合によっては機能が低下するおそれがあるからである。
【００３０】
なお、焼成温度、焼成のためのエネルギー源（石油，ガス，電気，重油，石炭，コークス，太陽光，薪）によって、得られる焼成微粒粉体の諸機能が微妙に異なることがわかっており、通常、焼成温度は、３５０〜１３５０℃に設定することが、より好適である。また、焼成時間は、１５〜１８０分に設定することが好適であり、エネルギー源としては、薪が最適である。
【００３１】
上記焼成微粒粉体Ｘと未焼成微粒粉体Ｙとを組み合わせて用いる場合、その配合割合（Ｘ：Ｙ）は、用途に応じて適宜設定されるが、なかでも、重量基準で、１：９９〜２０：８０、特に５：９５〜１５：８５に設定することが好適である。すなわち、焼成微粒粉体Ｘが１％未満では、焼成によって高められた機能にもとづく効果が弱く、逆に２０％を超えて配合しても、それ以上の効果が得られにくく、経済的でないからである。
【００３２】
本発明において、上記珪酸含有鉱物の微粒粉体を合成樹脂製ブラシ毛に含有させる割合は、特に限定するものではないが、通常、１〜５％、なかでも２〜３％に設定することが好適である。すなわち、１％未満では、珪酸含有鉱物の微細粒粉体に由来する効果が弱くなり、逆に、５％を超えると、良好な成形性が損なわれるおそれがあるからである。
【００３３】
また、本発明において、ヘアブラシの形状は、図１の形状に限定されるものではなく、毛髪を梳かす機能を備えたものであれば、どのような形態のものであっても差し支えない。例えば、図３に示すように、台部３のブラシ毛束４を植設する面１ａが、断面円弧状に膨出しているヘアブラシや、図４に示すように、比較的平たい台部３′の一端側の側端縁に、一列にブラシ毛束４が植設された毛染め用のヘアブラシ等にも適用することができる。
【００３４】
図５は、本発明の他の実施例に用いる台部３０を示している。この台部３０は、合成樹脂製で、そのブラシ毛束植設予定部３１に、帯電防止用の起毛シート３２が貼付されている。
【００３５】
上記起毛シート３２は、図６に示すように、基材３３の表面に、バインダー層３４を介して、短繊維３５が静電植毛されたもので、上記基材３３としては、ゴムシート、樹脂シート、不織布、織編地等、各種のものを用いることができる。そして、樹脂の種類、不織布や織編地の繊維の種類等は、特に限定するものではなく、静電植毛の基材となるものであれば、どのようなものであっても差し支えない。その厚みも、特に限定されるものではない。また、起毛部分となる短繊維３５も、特に限定するものではない。例えば、ナイロン６、ナイロン６１２、ポリエチレン、ポリプロピレン、ポリエステル、ＡＢＳ樹脂、綿、羊毛、これらの混紡繊維等があげられる。そして、その長さは、通常、０、１〜５ｍｍに設定することが好適であり、なかでも、特に、０．２ｍｍに設定することが最適である。
【００３６】
また、上記バインダー層３４に用いられるバインダーとしては、アクリルバインダー、ウレタンバインダー等のバインダー組成物に、前述の珪酸含有鉱物の微粒粉体を配合したものでなければならない。上記微粒粉体の平均粒子径は３μｍ以下に設定することが好適であり、その配合割合は、バインダー組成物に対し、１０〜１５％に設定することが好適である。そして、上記バインダー層３４の厚みは、０．０５〜１ｍｍ、なかでも０．１〜０．２ｍｍに設定することが好適である。微粒粉体の特性等については、前述のとおりであり、その説明を省略する。
【００３７】
上記起毛シート３２が貼付されたブラシ毛束植設予定部３１に、図１のヘアブラシと同様にしてブラシ毛束４を植設して得られるヘアブラシは、台部３０が合成樹脂製であっても、上記起毛シート３２が静電気帯電防止機能を果たすため、図１のものと同様、優れた効果を奏する。
【００３８】
さらに、本発明のヘアブラシは、人間に用いる以外に、家畜やペットの毛を梳くブラシとして用いることができる。
【実施例】
【００３９】
つぎに、本発明の実施例について比較例とともに説明する。
【００４０】
〔実施例１〕
前記表１に示す石英安山岩ガラス状斑岩イを、平均粒子径３μｍの微粒粉体にしたのち、ナイロン６１２に３％配合し、直径０．６ｍｍのモノフィラメントを得た。このものをブラシ毛Ａとし、直径０．１〜０．３ｍｍのブタ毛からなるブラシ毛Ｂと組み合わせて、図１に示すヘアブラシを作製した。なお、植設されたブラシ毛束４の数は８０束、各ブラシ毛束４におけるブラシ毛Ａ，Ｂの構成は、ブラシ毛Ａ８本、ブラシ毛Ｂ１１本とした。そして、植設されたブラシ毛Ａの高さ２０ｍｍ、同じくブラシ毛Ｂの高さ１８ｍｍ（ｄ＝２ｍｍ）とした。
【００４１】
〔実施例２〕
各ブラシ毛束４におけるブラシ毛Ａ，Ｂの構成において、ブラシ毛Ａを、ナイロン６１２製ブラシ毛５本、ポリエチレン製ブラシ毛２本、アクリル樹脂製ブラシ毛１本とした（全て石英安山岩ガラス状斑岩の微粒粉体を含有）の組み合わせとし、これに、実施例１と同様のブラシ毛Ｂ１１本を組み合わせた。それ以外は、実施例１と同様にして、図１に示すヘアブラシを得た。
【００４２】
〔実施例３〕
石英安山岩ガラス状斑岩の微粒粉体として、その一部を、６７０℃×４５分の焼成条件で、薪をエネルギー源として焼成した。この焼成微粒粉体Ｘと、未焼成微粒粉体Ｙとを、重量基準（以下同じ）で１０：９０の配合割合で混合して微粒粉体として用いた。それ以外は、実施例１と同様にして、図１に示すヘアブラシを得た。
【００４３】
〔実施例４〕
下記の条件で起毛シート３２を作製し、図５に示すような合成樹脂製の台部３０を作製したのち、実施例１と同様にしてブラシ毛束４を植設してヘアブラシを得た。
基材        …厚み０．１ｍｍのポリエステルフィルムシート。
バインダー層…石英安山岩ガラス状斑岩の微粒粉体（平均粒子径２μｍ）１２％含有の                アクリルバインダー。厚み０．１ｍｍ。
起毛層      …直径０．０３ｍｍ、長さ０．２ｍｍのナイロン６フィラメント
【００４４】
〔比較例１〕
外観が図１に示すヘアブラシと同様で、ブラシ毛束４を全て、実施例１で用いたナイロン６１２からなるブラシ毛とした。
【００４５】
〔比較例２〕
外観が図１に示すヘアブラシと同様で、ブラシ毛束４を全て、実施例１で用いたブタ毛からなるブラシ毛とした。
【００４６】
〔比較例３〕
ブラシ毛束４において、ブラシ毛Ａの毛先が、ブラシ毛Ｂの毛先よりも２ｍｍ高く突出するようにした。それ以外は実施例１と同様にして、図１に示すヘアブラシを得た。
【００４７】
これらの実施例１〜４品、比較例１〜３品について、後記の表２に示す各項目に関して評価を行い、その結果を、後記の表２に併せて示した。なお、各項目の評価方法は、以下のとおりである。
【００４８】
〔静電気帯電量〕
ヘアブラシによるブラッシングを５０回行ったのち、そのブラシ毛束先端の静電圧を、静電気測定メーター（スタティックロケーターＡＣＬ３００Ｂ、三井物産プラスチックス社製）で測定した。
【００４９】
〔平滑性〕
モニター１０名に、ヘアブラシによるブラッシングを５０回行わせ、そのときの毛髪平滑性（ヘアブラシで滑らかに梳かすことができるか否か）を官能評価した。◎…良好、○…ふつう  △…やや不良  ×…不良、の４段階評価とした。
【００５０】
〔艶やかさ〕
モニター１０名に、ヘアブラシによるブラッシングを、５０回ずつ朝晩行うことを１週間続けさせた。そして、毛髪の艶やかさを官能評価した。◎…良好、○…ふつう  △…やや不良  ×…不良、の４段階評価とした。
【００５１】
【表２】
2005130916.tif 000004
【００５２】
上記の結果から、実施例品はいずれも優れた毛髪に対し、優れた効果を奏することがわかる。
【００５３】
実施例１品と、比較例１品のヘアブラシについて、その使用時に脳波がどのように変化するかを測定して対比した。測定方法は下記のとおりである。
【００５４】
〔脳波の測定方法〕
被験者（５０才、男性）に対し、１０分間椅子に腰掛けた状態で安静を保つようにした後、ヘアブラシで２０分間ブラッシングを行わせ、その間の側頭部の脳波の変化を測定した。
【００５５】
その結果、実施例１品を用いたときの左後頭部の脳波波形は、図７に示すとおりであり、右後頭部の脳波波形は、図８に示すとおりである。また、比較例１品を用いたときの左後頭部の脳波波形は図９に示すとおりであり、右後頭部の脳波波形は図１０に示すとおりである。これらの結果から、実施例１品を用いたとき、左右の後頭部から、リラックス状態を示すα波（８Ｈｚ以上１３Ｈｚ以下）が、連続的かつ集中的に多量発生していることがわかる。
【００５６】
実施例１品と、比較例１品のヘアブラシについて、その使用時に血流量と血流速度がどのように変化するかを、レーザードップラー血流計を用いて測定して対比した。測定は、被験者（５０才、男性）に、ブラッシングを５０回繰り返し行わせた後、行った。その結果、実施例１品は、比較例１品に比べて、血流量が１．１９倍（１８．８％増加）、血流速度が１．１０倍（１０．４％増加）になり、血流改善効果が認められた。
【図面の簡単な説明】
【００５７】
【図１】本発明の一実施例の斜視図である。
【図２】図１の縦断面図である。
【図３】本発明の他の実施例の縦断面図である。
【図４】本発明のさらに他の実施例の平面図である。
【図５】本発明の他の実施例に用いる台部の斜視図である。
【図６】上記他の実施例に用いる起毛シートの説明図である。
【図７】本発明の実施例品を用いた場合の脳波波形を示す線図である。
【図８】本発明の実施例品を用いた場合の脳波波形を示す線図である。
【図９】本発明の実施例品を用いた場合の脳波波形を示す線図である。
【図１０】本発明の実施例品を用いた場合の脳波波形を示す線図である。
【符号の説明】
【００５８】
３  台部
４  ブラシ毛束
Ａ  合成樹脂製ブラシ毛
Ｂ  獣毛ブラシ毛
【図１】
2005130916.tif 000005
【図２】
2005130916.tif 000006
【図３】
2005130916.tif 000007
【図４】
2005130916.tif 000008
【図５】
2005130916.tif 000009
【図６】
2005130916.tif 000010
【図７】
2005130916.tif 000011
【図８】
2005130916.tif 000012
【図９】
2005130916.tif 000013
【図１０】
2005130916.tif 000014